(57)【要約】      （修正有）【課題】空気汚染を防止し、ペンキ浪費を減少し作業速度を向上することが出来るペンキタンクを提供する。【解決手段】本体は、上側に開口を有する円筒体であり、その外側に対向の気体輸入パイプと気体輸出パイプが設けられると共に、内部の中段に集中プレートが設けられ、集中プレートの中央にペンキ流出パイプが設けられ、内部の下側に気体／水分分離装置が設けられ、気体輸入パイプと気体輸出パイプとの間に複数の封止プレートが設けられ、封止プレートの間に貫通孔を有する離隔プレートが設けられ、本体の下側に圧力調整バルブが設けられ、封止プレートにおける貫通孔が気体輸入パイプと連通され、圧力調整バルブの上側に本体の内部へ伸びこむ圧力調整パイプが設けられ、圧力調整パイプの上端と本体の上側におけるカバーとの間に所定の距離が形成され、該カバーは、本体の開口に設けられる。【選択図】図６
0003117999.tif 000002
【実用新案登録請求の範囲】
【請求項１】
本体と、該本体の上側に設けられるカバーを備えるペンキタンクであって、
該本体は、上側に開口を有する円筒体であり、その外側に対向の気体輸入パイプと気体輸出パイプが設けられると共に、内部の中段に集中プレートが設けられ、該集中プレートの中央にペンキ流出パイプが設けられ、内部の下側に気体／水分分離装置が設けられ、気体輸入パイプと気体輸出パイプとの間に複数の封止プレートが設けられ、該封止プレートの間に貫通孔を有する離隔プレートが設けられ、
該本体の下側に圧力調整バルブが設けられ、前記封止プレートにおける貫通孔が気体輸入パイプと連通され、該圧力調整バルブの上側に本体の内部へ伸びこむ圧力調整パイプが設けられ、該圧力調整パイプの上端と本体の上側におけるカバーとの間に所定の距離が形成され、
該カバーは、本体の開口に設けられることを特徴とするペンキタンク。
【請求項２】
前記本体の下側にベースが設けられることを特徴とする請求項１に記載のペンキタンク。
【請求項３】
前記気体／水分分離装置の下側に排水パイプが設けられ、前記カバーの中央に減圧バルブが設けられることを特徴とする請求項１又は２に記載のペンキタンク。
【考案の詳細な説明】
【技術分野】
【０００１】
本考案は、特にペンキ作業する時に使用するペンキタンクに関するものである。
【背景技術】
【０００２】
従来の「ペンキガン」は、その下側又は上側にペンキ缶が設けられることにより、ペンキの塗布作業を行うが、該ペンキガンの重量は重いと共に、容量が少なく、使用中頻繁にペンキを補充する必要があるので、非常に不便である。又、該ペンキガンは、天井又は床にペンキ作業することができず、更に、噴出したペンキは、霧状になり、大部分の霧状ペンキが空気中に分散してしまうため、空気汚染の原因にもなる。
【考案の開示】
【考案が解決しようとする課題】
【０００３】
その後、毛細管原理又は空気圧の原理によってタンク型又は缶型のペンキ設備が開発されたが、空気汚染及びペンキ浪費の問題を解決できず、又、空気汚染の問題を解決しようとすると、高価なペンキガンを使用しなければならないので、改良する必要があった。
【０００４】
そこで、案出されたのが本考案であって、空気汚染を防止し、ペンキ浪費を減少し、作業速度を向上することができるペンキタンクを提供することを目的としている。
【課題を解決するための手段】
【０００５】
本願の請求項１の考案は、本体と、該本体の上側に設けられるカバーを備えるペンキタンクであって、
該本体は、上側に開口を有する円筒体であり、その外側に対向の気体輸入パイプと気体輸出パイプが設けられると共に、内部の中段に集中プレートが設けられ、該集中プレートの中央にペンキ流出パイプが設けられ、内部の下側に気体／水分分離装置が設けられ、気体輸入パイプと気体輸出パイプとの間に複数の封止プレートが設けられ、該封止プレートの間に貫通孔を有する離隔プレートが設けられ、
該本体の下側に圧力調整バルブが設けられ、前記封止プレートにおける貫通孔が気体輸入パイプと連通され、該圧力調整バルブの上側に本体の内部へ伸びこむ圧力調整パイプが設けられ、該圧力調整パイプの上端と本体の上側におけるカバーとの間に所定の距離が形成され、
該カバーは、本体の開口に設けられることを特徴とするペンキタンク、を提供する。
【０００６】
本願の請求項２の考案は、前記本体の下側にベースが設けられることを特徴とする請求項１に記載のペンキタンク、を提供する。
【０００７】
本願の請求項３の考案は、前記気体/水分分離装置の下側に排水パイプが設けられ、前記カバーの中央に減圧バルブが設けられることを特徴とする請求項１又は２に記載のペンキタンク、を提供する。
【考案の効果】
【０００８】
本考案は上記の課題を解決するものであり、従来より８０％以上の霧状ペンキを減少することができ、約３５％以上のペンキが効率的に使用されることができ、高価なペンキガンが不要で、一般のペンキガンだけで簡単にペンキの塗布作業を行うことができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るペンキタンクの使用状態を示す斜視図であり、図２は本考案に係るペンキタンクの分解斜視図であり、図３は本考案に係るペンキタンクの部分斜視図であり、図４は本考案に係るペンキタンクの部分断面図であり、図５は本考案に係るペンキタンクの平面図であり、図６は本考案に係るペンキタンクの使用状態を示す断面図である。
【００１１】
図１、図２、図３及び図６に示すように、本考案に係るペンキタンクは、ベース（１０）と、該ベース（１０）の上側に設けられる本体（２０）と、該本体（２０）の上側に設けられるカバー（３０）とを備え、該本体（２０）は、上側に開口（２１）を有する円筒体であり、その外側に対向の気体輸入パイプ（２２）と気体輸出パイプ（２３）が設けられると共に、内部の中段に集中プレート（２４）が設けられ、該集中プレート（２４）の中央にペンキ流出パイプ（２５）が設けられることにより、ペンキが集中プレート（２４）の上側から下方へ流出されることができる。
【００１２】
前記本体（２０）の内部の下側に気体／水分分離装置（４０）が設けられ、気体輸入パイプ（２２）と気体輸出パイプ（２３）との間に複数の封止プレート（４１）が設けられ（図５参照）、該封止プレート（４１）の間に貫通孔（４３）を有する離隔プレート（４２）が設けられ、又、気体/水分分離装置（４０）の下側に排水パイプ（４４）が設けられることにより、空気中の水分を該排水パイプ（４４）を介して外側に排出させる。
【００１３】
前記本体（２０）の下側に圧力調整バルブ（２６）が設けられ、前記封止プレート（４１）における貫通孔（４３）が気体輸入パイプ（２２）と連通され、該圧力調整バルブ（２６）の上側に本体（２０）の内部へ伸びこむ圧力調整パイプ（２７）が設けられ（図３及び図４を参照）、該圧力調整パイプ（２７）の上端と本体（２０）の上側におけるカバー（３０）との間に所定の距離が形成される。
【００１４】
前記カバー（３０）は、本体（２０）の開口（２１）に設けられ、その中央に減圧バルブ（３１）が設けられることにより、本体（２０）の内部における気体の圧力が大きすぎることを防止できる。
【００１５】
又、図３及び図６に示すように、本体（２０）の下側に圧力調整バルブ（２６）が設けられるので、コンプレッサーから輸入した一部の気体が気体輸入パイプ（２２）、貫通孔（４３）、気体／水分分離装置（４０）、圧力調整パイプ（２７）を介して本体（２０）の内部に進入されることにより、ペンキ（５０）が集中プレート（２４）の中央におけるペンキ流出パイプ（２５）と連接パイプ（６２）を介してペンキガン（６０）に流れることができ、他の気体が気体輸出パイプ（２３）と連接パイプ（６１）を介してペンキガン（６０）に流れることができる。
【産業上の利用可能性】
【００１６】
本考案に係るペンキタンクによれば、従来より８０％以上の霧状ペンキを減少することができ、約３５％以上のペンキが効率的に使用されることができ、高価なペンキガンが不要で、一般のペンキガンだけで簡単にペンキの塗布作業を行うことができる。
【図面の簡単な説明】
【００１７】
【図１】本考案に係るペンキタンクの使用状態を示す斜視図である。
【図２】本考案に係るペンキタンクの分解斜視図である。
【図３】本考案に係るペンキタンクの部分斜視図である。
【図４】本考案に係るペンキタンクの部分断面図である。
【図５】本考案に係るペンキタンクの平面図である。
【図６】本考案に係るペンキタンクの使用状態を示す断面図である。
【符号の説明】
【００１８】
１０        ベース
２０        本体
２１        開口
２２        気体輸入パイプ
２３        気体輸出パイプ
２４        集中プレート
２５        ペンキ流出パイプ
２６        圧力調整バルブ
２７        圧力調整パイプ
３０        カバー
３１        減圧バルブ
４０        気体／水分分離装置
４１        封止プレート
４２        離隔プレート
４３        貫通孔
４４        排水パイプ
５０        ペンキ
６０        ペンキガン
６１        連接パイプ
６２        連接パイプ
【図１】
0003117999.tif 000003
【図２】
0003117999.tif 000004
【図３】
0003117999.tif 000005
【図４】
0003117999.tif 000006
【図５】
0003117999.tif 000007
【図６】
0003117999.tif 000008